(57)【要約】［課題］簡易に子画面を制御できる表示装置、表示方法および表示プログラムを提供する。［解決手段］実施形態によれば、一部に子画面を表示可能な表示部と、リモートコントローラにおける第１のキーに対する操作がなされたことに応答して、前記表示部に前記子画面が表示されていない場合には、前記表示部の一部である初期位置に前記子画面を表示させ、前記表示部の一部に前記子画面が表示されている場合には、前記子画面を別の位置に表示させるか、前記子画面を非表示にする表示制御部と、を備える表示装置が提供される。
2015059793.tif 000002
【特許請求の範囲】
【請求項１】
一部に子画面を表示可能な表示部と、
リモートコントローラにおける第１のキーに対する操作がなされたことに応答して、
前記表示部に前記子画面が表示されていない場合には、前記表示部の一部である初期位置に前記子画面を表示させ、
前記表示部の一部に前記子画面が表示されている場合には、前記子画面を別の位置に表示させるか、前記子画面を非表示にする表示制御部と、を備える表示装置。
【請求項２】
前記表示制御部は、前記子画面を前記初期位置に表示した後、
前記第１のキーに対してなされた操作の数が第１の数未満であれば、前記子画面を別の位置に表示させ、
前記第１のキーに対してなされた操作の数が前記第１の数に達すると、前記子画面を非表示にする、請求項１に記載の表示装置。
【請求項３】
前記表示部には、互いに異なる第１〜第ｎ（ｎは２以上の整数）の表示位置が設定されており、
前記表示制御部は、前記第１のキーに対する操作がなさる度に、前記第１〜第ｎの表示位置の順に前記子画面の表示位置を移動させ、前記第ｎの表示位置に前記子画面が表示されている場合に前記第１のキーに対する操作がなされると、前記子画面を非表示にする、請求項１に記載の表示装置。
【請求項４】
前記第１のキーは、前記リモートコントローラの端に配置されるキーである、請求項１に記載の表示装置。
【請求項５】
前記表示制御部は、前記リモートコントローラにおける第２のキーに対する操作がなされたことに応答して、前記子画面のサイズを変更する、請求項１に記載の表示装置。
【請求項６】
前記子画面を表示する初期位置、前記子画面の表示位置、前記子画面の表示順序、および、前記子画面のサイズのうちの少なくとも１つを設定可能である、請求項１に記載の表示装置。
【請求項７】
前記表示制御部は、前記第１のキーに対する操作がなされたことに応答して、
前記表示部に前記子画面が表示されていない場合には、前記表示部の右下に前記子画面を表示させ、
前記表示部の右下に前記子画面が表示されている場合には、前記子画面の位置を左下に表示させ、
前記表示部の左下に前記子画面が表示されている場合には、前記子画面の位置を左上に表示させ、
前記表示部の左上に前記子画面が表示されている場合には、前記子画面の位置を右上に表示させ、
前記表示部の右上に前記子画面が表示されている場合には、前記子画面の表示を非表示にする、請求項１に記載の表示装置。
【請求項８】
一部に子画面を表示可能な表示部を備える表示装置における表示方法であって、
前記表示部に前記子画面が表示されていない場合に、リモートコントローラにおける第１のキーに対する操作がなされたことに応答して、前記表示部の一部である初期位置に前記子画面を表示させるステップと、
前記表示部の一部に前記子画面が表示されている場合に、前記第１のキーに対する操作がなされたことに応答して、前記子画面を別の位置に表示させるか、前記子画面を非表示にするステップと、を備える表示方法。
【請求項９】
前記子画面が前記初期位置に表示された後、
前記第１のキーに対してなされた操作の数が第１の数未満であれば、前記子画面を別の位置に表示させ、
前記第１のキーに対してなされた操作の数が前記第１の数に達すると、前記子画面を非表示にする、請求項８に記載の表示方法。
【請求項１０】
前記表示部には、互いに異なる第１〜第ｎ（ｎは２以上の整数）の表示位置が設定されており、
前記第１のキーに対する操作がなさる度に、前記第１〜第ｎの表示位置の順に前記子画面の表示位置を移動させ、前記第ｎの表示位置に前記子画面が表示されている場合に前記第１のキーに対する操作がなされると、前記子画面を非表示にする、請求項８に記載の表示方法。
【請求項１１】
前記第１のキーは、前記リモートコントローラの端に配置されるキーである、請求項８に記載の表示方法。
【請求項１２】
前記リモートコントローラにおける第２のキーに対する操作がなされたことに応答して、前記子画面のサイズを変更するステップを備える、請求項８に記載の表示方法。
【請求項１３】
前記子画面を表示する初期位置、前記子画面の表示位置、前記子画面の表示順序、および、前記子画面のサイズのうちの少なくとも１つを設定可能である、請求項８に記載の表示方法。
【請求項１４】
前記第１のキーに対する操作がなされたことに応答して、
前記表示部に前記子画面が表示されていない場合には、前記表示部の右下に前記子画面を表示させるステップと、
前記表示部の右下に前記子画面が表示されている場合には、前記子画面の位置を左下に表示させるステップと、
前記表示部の左下に前記子画面が表示されている場合には、前記子画面の位置を左上に表示させるステップと、
前記表示部の左上に前記子画面が表示されている場合には、前記子画面の位置を右上に表示させるステップと、
前記表示部の右上に前記子画面が表示されている場合には、前記子画面の表示を非表示にするステップと、を含む、請求項８に記載の表示方法。
【請求項１５】
一部に子画面を表示可能な表示部を備える表示装置における表示プログラムであって、
前記表示部に前記子画面が表示されていない場合に、リモートコントローラにおける第１のキーに対する操作がなされたことに応答して、前記表示部の一部である初期位置に前記子画面を表示させるステップと、
前記表示部の一部に前記子画面が表示されている場合に、前記第１のキーに対する操作がなされたことに応答して、前記子画面を別の位置に表示させるか、前記子画面を非表示にするステップと、をコンピュータに実行させる備える表示プログラム。
【請求項１６】
前記子画面が前記初期位置に表示された後、
前記第１のキーに対してなされた操作の数が第１の数未満であれば、前記子画面を別の位置に表示させ、
前記第１のキーに対してなされた操作の数が前記第１の数に達すると、前記子画面を非表示にする、請求項１５に記載の表示プログラム。
【請求項１７】
前記表示部には、互いに異なる第１〜第ｎ（ｎは２以上の整数）の表示位置が設定されており、
前記第１のキーに対する操作がなさる度に、前記第１〜第ｎの表示位置の順に前記子画面の表示位置を移動させ、前記第ｎの表示位置に前記子画面が表示されている場合に前記第１のキーに対する操作がなされると、前記子画面を非表示にする、請求項１５に記載の表示プログラム。
【請求項１８】
前記第１のキーは、前記リモートコントローラの端に配置されるキーである、請求項１５に記載の表示プログラム。
【請求項１９】
前記リモートコントローラにおける第２のキーに対する操作がなされたことに応答して、前記子画面のサイズを変更するステップを備える、請求項１５に記載の表示プログラム。
【請求項２０】
前記子画面を表示する初期位置、前記子画面の表示位置、前記子画面の表示順序、および、前記子画面のサイズのうちの少なくとも１つを設定可能である、請求項１５に記載の表示プログラム。
【発明の詳細な説明】
【技術分野】
【０００１】
本発明の実施形態は、表示装置、表示方法および表示プログラムに関する。
【背景技術】
【０００２】
表示装置の高機能化に伴い、放送波からのコンテンツのみならずウェブページをディスプレイ上に表示させることができるようになってきている。そして、ウェブページを閲覧しつつコンテンツを視聴したいというユーザの要望も少なくない。そこで、ディスプレイ全体にウェブページを表示しつつ、その一部に子画面としてコンテンツを表示する、いわゆるＰＩＰ（Picture In Picture）機能を持った表示装置が広く知られている。【０００３】
ところで、ウェブページ上に子画面を表示すると、ウェブページの一部は子画面に隠れて閲覧できなくなってしまう。隠れた部分を閲覧できるように子画面を制御するには、手間がかかる操作を伴うことが多い。
【先行技術文献】
【特許文献】
【０００４】
【特許文献１】特開２００６−２３６３３５号公報
【特許文献２】特表２０１３−５２４６８４号公報
【特許文献３】特表２００２−５１５２０７号公報
【発明の概要】
【発明が解決しようとする課題】
【０００５】
簡易に子画面を制御できる表示装置、表示方法および表示プログラムを提供する。
【課題を解決するための手段】
【０００６】
実施形態によれば、一部に子画面を表示可能な表示部と、リモートコントローラにおける第１のキーに対する操作がなされたことに応答して、前記表示部に前記子画面が表示されていない場合には、前記表示部の一部である初期位置に前記子画面を表示させ、前記表示部の一部に前記子画面が表示されている場合には、前記子画面を別の位置に表示させるか、前記子画面を非表示にする表示制御部と、を備える表示装置が提供される。
【図面の簡単な説明】
【０００７】
【図１】一実施形態に係る表示装置１００の外観図。
【図２】制御装置５の概略構成の一例を示すブロック図。
【図３】表示装置１００を制御するリモートコントローラ１０の外観図。
【図４】メインＧＵＩ画面の一例を示す図。
【図５】子画面１３が右下に表示された状態を示す図。
【図６】子画面１３が左下に表示された状態を示す図。
【図７】子画面１３が左上に表示された状態を示す図。
【図８】子画面１３が右上に表示された状態を示す図。
【図９】子画面制御に用いられる表示部１００の構成を示すブロック図。
【図１０】赤色キー１０Ｒが押下された場合の、信号処理部１２０の処理動作の一例を示すフローチャート。
【発明を実施するための形態】
【０００８】
以下、実施形態について、図面を参照しながら具体的に説明する。
【０００９】
図１は、一実施形態に係る表示装置１００の外観図である。表示装置１００は、表示部１と、スピーカ２と、受光部（制御信号受信部）３と、操作部４と、制御装置５とを備えている。
【００１０】
表示部１は例えば液晶ディスプレイであり、ウェブページやコンテンツなど種々の画像を表示する。また、表示部１の全体に親画面を表示できるとともに、表示部１の一部に子画面を表示することもできる。親画面上に子画面が表示されると、親画面の一部は子画面により隠れてしまう。よって、ユーザは隠れた部分を見ることはできなくなる。
【００１１】
スピーカ２は音声を再生する。スピーカ２は、表示部１に表示される画像に応じた音声を再生してもよいし、当該画像とは無関係な音声を再生できてもよい。
【００１２】
受光部３は表示装置１００を制御するリモートコントローラからの制御信号を受信する。リモートコントローラが制御信号として赤外線信号を発する場合、受光部３は赤外線に反応するフォトダイオードから構成される。一例として、受光部３は子画面を表示させたり移動させたり非表示にしたりするための制御信号を受信する。なお、リモートコントローラからの制御信号は赤外線信号に限られず、無線あるいは有線通信による制御信号であってもよい。
【００１３】
操作部４は表示装置１００本体に設けられた１または複数のボタンである。一例として、操作部４は、表示装置１００の電源をオン／オフするためのボタンや、音量を調整するためのボタンを含むことができる。あるいは、操作部４は子画面を表示させたり移動させたり非表示にしたりするためのボタンを含んでいてもよい。操作部４におけるボタンが押下されると、押下されたボタンに応じた操作信号が生成される。
【００１４】
制御装置５は、例えば表示装置１００の背面に設けられ、外部から入力される映像信号を処理したり、通信を行ったり、表示部１に表示される画像を制御したりする。
【００１５】
図２は、制御装置５の概略構成の一例を示すブロック図である。制御装置５は各部の動作を制御する制御部１５６を備えている。制御部１５６は、ＲＯＭ（Read Only Memory）１５７と、ＲＡＭ（Random Access Memory）１５８と、ＣＰＵ（Central Processing Unit）１５９と、フラッシュメモリ１６０とを有する。
【００１６】
制御部１５６は、操作部４から入力される操作信号や、リモートコントローラから送信され受光部３を介して入力される制御信号に応じて、ＲＯＭ１５７に予め記憶されたシステム制御プログラムおよび各種処理プログラムを起動させる。制御部１５６は、ＲＡＭ１５８をＣＰＵ１５９のワークメモリとし、起動したプログラムに従って各部の動作を制御する。また制御部１５６は、各種設定に必要な情報等を例えばＮＡＮＤフラッシュメモリ等のような不揮発性のメモリであるフラッシュメモリ１６０に格納して使用する。
【００１７】
また、制御装置５は、アンテナ１４３から信号が入力される入力端子１４４と、チューナ１４５と、ＰＳＫ（Phase Shift Keying）復調器１４６と、ＴＳ（Transport Stream）復号器１４７ａと、信号処理部１２０とを備えている。
【００１８】
入力端子１４４は、ＢＳ／ＣＳデジタル放送受信用のアンテナ１４３が受信した衛星デジタルテレビジョン放送信号を、衛星デジタル放送用のチューナ１４５に送信する。チューナ１４５は、受信したデジタル放送信号のチューニングを行い、チューニングされたデジタル放送信号をＰＳＫ復調器１４６に送信する。ＰＳＫ復調器１４６は、デジタル放送信号からＴＳを復調し、復調されたＴＳをＴＳ復号器１４７ａに送信する。ＴＳ復号器１４７ａは、ＴＳをデジタル映像信号、デジタル音声信号、およびデータ信号を含むデジタル信号に復号した後、信号処理部１２０にこれらを送信する。
【００１９】
ここでのデジタル映像信号とは、制御装置５が出力可能な映像に関するデジタル信号であり、デジタル音声信号とは、制御装置５が出力可能な音声に関するデジタル信号である。またデータ信号とは、復調されたサービスについての各種情報を示すデジタル信号である。
【００２０】
また、制御装置５は、アンテナ１４８から信号が入力される入力端子１４９と、２つのチューナ１５０ａ，１５０ｂを有するチューナ部１５０と、２つのＯＦＤＭ（Orthogonal Frequency Division Multiplexing）復調器１５１と、２つのＴＳ復号器１４７ｂと、アナログチューナ１６８と、アナログ復調器１６９とを備えている。
【００２１】
入力端子１４９は、地上波デジタル放送受信用のアンテナ１４８が受信した地上波デジタルテレビジョン放送信号を、地上波デジタル放送用のチューナ部１５０に送信する。チューナ部１５０のチューナ１５０ａ，１５０ｂは、それぞれ受信したデジタル放送信号のチューニングを行い、チューニングされたデジタル放送信号を、２つ存在するＯＦＤＭ復調器１５１に送信する。ＯＦＤＭ復調器１５１は、デジタル放送からＴＳを復調し、復調されたＴＳをそれぞれ対応するＴＳ復号器１４７ｂに送信する。ＴＳ復号器１４７ｂは、ＴＳをデジタル映像信号および音声信号等に復号した後、信号処理部１２０にこれらを送信する。チューナ部１５０のチューナ１５０ａ，１５０ｂのそれぞれで取得した地上波デジタルテレビジョン放送は、２つずつのＯＦＤＭ復調器１５１、ＴＳ復号器１４７ｂによってそれぞれ同時にデジタル映像信号、デジタル音声信号、およびデータ信号を含むデジタル信号として復号された後に、信号処理部１２０に送信されることが可能である。
【００２２】
アンテナ１４８は、地上波アナログテレビジョン放送信号も受信可能である。受信された地上波アナログテレビジョン放送信号は、図示しない分配器によって分配されて、アナログチューナ１６８に送信される。アナログチューナ１６８は、受信したアナログ放送信号のチューニングを行い、チューニングされたアナログ放送信号をアナログ復調器１６９に送信する。アナログ復調器１６９はアナログ放送信号の復調を行い、復調されたアナログ放送信号を信号処理部１２０に送信する。また、制御装置５は、一例として、アンテナ１４８が接続される入力端子１４９にＣＡＴＶ（Common Antenna Television）用のチューナを接続することによってＣＡＴＶも視聴できる。
【００２３】
また、制御装置５は、ライン入力端子１３７と、音声処理部１５３と、グラフィック処理部１５２と、ＯＳＤ（On Screen Display）信号生成部１５４と、映像処理部１５５とを備えている。
【００２４】
ライン入力端子１３７は、ＨＤＭＩケーブルなどを介して、外部の再生装置（光ディスク再生装置など）から入力信号を受け取る。
【００２５】
信号処理部１２０は、ＴＳ復号器１４７ａ、１４７ｂ、または制御部１５６から送信されたデジタル信号に、適切な信号処理を施す。より具体的には、信号処理部１２０はデジタル信号をデジタル映像信号、デジタル音声信号、およびデータ信号に分離する。分離されたデジタル映像信号はグラフィック処理部１５２に、音声信号は音声処理部１５３に送信される。また信号処理部１２０は、アナログ復調器１６９から送信された放送信号を、所定のデジタルフォーマットの映像信号および音声信号に変換する。デジタルに変換された映像信号はグラフィック処理部１５２に、音声信号は音声処理部１５３に送信される。また信号処理部１２０は、ライン入力端子１３７からの入力信号にも所定のデジタル信号処理を施す。
【００２６】
音声処理部１５３は、入力された音声信号を、スピーカ２で再生可能なフォーマットのアナログ音声信号に変換する。アナログ音声信号は、スピーカ２に送信されて再生される。
【００２７】
ＯＳＤ信号生成部１５４は、制御部１５６の制御に従って、ＵＩ（ユーザ・インタフェース）画面などを表示するためのＯＳＤ信号を生成する。また信号処理部１２０においてデジタル放送信号から分離されたデータ信号は、ＯＳＤ信号生成部１５４により適切なフォーマットのＯＳＤ信号に変換され、グラフィック処理部１５２に送信される。
【００２８】
グラフィック処理部１５２は、信号処理部１２０から送信されるデジタル映像信号のデコード処理を行う。デコードされた映像信号は、ＯＳＤ信号生成部１５４から送信されたＯＳＤ信号と重ね合わせて合成され、映像処理部１５５に送信される。グラフィック処理部１５２は、デコードされた映像信号またはＯＳＤ信号を、映像処理部１５５に選択的に送信することもできる。
【００２９】
映像処理部１５５は、グラフィック処理部１５２から送信された信号を、表示部１で表示可能なフォーマットのアナログ映像信号に変換する。アナログ映像信号は、表示部１に送信されて表示される。
【００３０】
さらに、制御装置５は、ＬＡＮ（Local Area Network）端子１３１と、ＬＡＮ  Ｉ／Ｆ（Interface）１６４と、ＵＳＢ（Universal Serial Bus）端子１３３と、ＵＳＢ  Ｉ／Ｆ１６５と、ＨＤＤ（Hard Disk Drive）１７０とを備えている。
【００３１】
ＬＡＮ端子１３１はＬＡＮ  Ｉ／Ｆ１６４を介して制御部１５６に接続されている。ＬＡＮ端子１３１はイーサネット（登録商標）を用いた一般的なＬＡＮ対応ポートとして使用される。本実施形態において、ＬＡＮ端子１３１にはＬＡＮケーブルが接続されており、インターネット１３０と通信可能となっている。
【００３２】
ＵＳＢ端子１３３はＵＳＢ Ｉ／Ｆ１６５を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００３３】
ＨＤＤ１７０は制御装置５に内蔵される磁気記憶媒体であって、制御装置５が有する各種情報を記憶する機能を有する。
【００３４】
図３は、表示装置１００を制御するリモートコントローラ１０の外観図である。リモートコントローラ１０には、電源キー１０ａ、音量調整キー１０ｂ、チャンネル選択キー１０ｃ、チャンネル切換キー１０ｄ、矢印キー１０ｅなどが設けられる。さらに、リモートコントローラ１０には、色キーとして、左から順に、赤色キー１０Ｒ、緑色キー１０Ｇ、黄色キー１０Ｙおよび青色キー１０Ｂが設けられる。これら色キーの役割の例については後述する。
【００３５】
ユーザがリモートコントローラ１０の電源キー１０ａを押下すると、表示装置１００が起動する。そして、図２の制御部１５６はメインＧＵＩ画面を生成し、このメインＧＵＩ画面が親画面として表示部１に表示される。
【００３６】
図４は、メインＧＵＩ画面の一例を示す図である。メインＧＵＩ画面は、ウェブコンテンツ領域１１ａと、ツールバー領域１１ｂと、ヘルプガイド領域１１ｃと、ポジションバー１１ｄとを含んでいる。
【００３７】
ウェブコンテンツ領域１１ａには、図２のＬＡＮ  Ｉ／Ｆ１６４が取得したウェブページの画像が表示される。タブ形式にして複数のウェブページを切り替えて表示できるようにしてもよい。
【００３８】
ツールバー領域１１ｂには以下のアイコンなどが表示される。
【００３９】
アドレスバー１２ａには現在表示されているウェブページのＵＲＬが表示される。バックアイコン１２ｂは、現在表示されているウェブページを開く前に開かれた別のウェブページがある場合に、当該別のウェブページに戻るためのアイコンである。フォワードアイコン１２ｃは、現在表示されているウェブページを開いた後に開かれた別のウェブページがある場合に、当該別のウェブページに進むためのアイコンである。
【００４０】
リフレッシュアイコン１２ｄは現在表示されているウェブページを更新するためのアイコンである。ストップアイコン１２ｅはロード中のウェブページのロードを停止するためのアイコンである。
【００４１】
検索（Search）アイコン１２ｆはウェブページの検索を行うためのアイコンである。より具体的には、検索アイコン１２ｆが選択されると、テキストデータを入力するためのフィールドを表示される。ユーザはリモートコントローラ１０を用いてこのフィールドに任意のテキストデータを入力可能である。入力されたテキストデータに基づいて、ウェブページの検索が行われる。
【００４２】
ファインドインページ（Find in Page）アイコン１２ｇは現在表示されているウェブページから所定のキーワードを検索するためのアイコンである。より具体的には、ファインドインページアイコン１２ｇが選択されると、テキストデータを入力するためのフィールドが表示される。ユーザはリモートコントローラ１０を用いてこのフィールドに任意のテキストデータを入力可能である。現在表示されているウェブページから、入力されたテキストデータの検索（Find）が行われる。
【００４３】
ホームアイコン１２ｈは予め定めたホームのウェブページを表示するためのアイコンである。お気に入りアイコン１２ｉが選択されるとお気に入り画面が表示され、予め登録しておいたウェブページのうちの１つを選択できるようになる。履歴アイコンｊが選択されると履歴画面が表示され、閲覧したウェブページのうちの１つを再度選択できるようになる。
【００４４】
設定アイコン１２ｋはメインＧＵＩ画面などについての種々の設定を行うためのアイコンである。すなわち、設定アイコン１２ｋが選択されると、設定を行うための設定画面が表示される。ズームアイコン１２ｌは現在表示されているウェブページを拡大するためのアイコンである。イグジットアイコン１２ｍは現在表示されているウェブページを閉じるためのアイコンである。
【００４５】
ヘルプガイド領域１１ｃは、リモートコントローラ１０の主なキーについての簡易的な説明が表示される。
【００４６】
例えば、赤色キー１０ＲはＰＩＰ（Picture In Picture）キーであり、赤色キー１０Ｒを押下すると子画面の制御がなされることが示されている。本実施形態の特徴の１つとして、子画面が表示されていない状態で赤色キー１０Ｒが押下されると、子画面がある初期位置に表示される。子画面が表示されている状態で赤色キー１０Ｒが押下されると、子画面が移動して別の位置に表示されるか、子画面が非表示にされる。このように、本実施形態では、子画面の表示、移動、非表示が１つの赤色キー１０Ｒに割り当てられている。この点は後に詳しく説明する。
【００４７】
また、ヘルプガイド領域１１ｃには、緑色キー１０Ｇがマウスエミュレーションキーへの切り替えであることが示されている。すなわち、緑色キー１０Ｇが押下されると、リモートコントローラ１０の矢印キー１０ｅをマウスのように用いて、メインＧＵＩ画面上のカーソルを任意に移動させることができるようになる。再度、緑色キー１０Ｇが押下されると、ナビゲーションキーへ切り替り、リモートコントローラ１０の矢印キー１０ｅにより、ウェブページ内のリンク先を移動する。緑色キー１０Ｇを押下することにより、リモートコントローラ１０の矢印キーの操作が切り替る。
【００４８】
さらに、黄色キー１０Ｙが子画面の大きさを調整（リサイズ）するキーであることが示されている。すなわち、黄色キー１１Ｙが押下されると、子画面の大きさが拡大または縮小される。
【００４９】
そして、青色キー１０Ｂがツールバー領域１１ｂを選択するための移動キーであることが示されている。再度、青色キー１０Ｂを押下するとウェブページ内へ移動する。青色キー１０Ｂを押下することにより、ツールバー領域１１ｂとウェブページ内の位置を交互に移動する。
【００５０】
ポジションバー１１ｄは現在表示されているウェブページの位置を示す。このポジションバー１１ｄを移動させることで、ウェブページをスクロールさせることができる。
【００５１】
続いて、本実施形態における子画面表示の概略について説明する。子画面は表示部１の一部に表示されるものであり、その表示位置は予め定められている。より具体的には、互いに異なる複数の表示位置が表示部１に設定されている。
【００５２】
本実施形態における表示位置は、表示部１の右下、左下、左上および右上であるとする。また、上述したように、赤色キー１０Ｒが子画面制御用に割り当てられている。図３に示すように、赤色キー１０Ｒはリモートコントローラ１０の左端にある。このように、端に配置されたキーを子画面制御用に割り当てることで、ユーザの操作性を向上できる。
【００５３】
図４のようなメインＧＵＩ画面が表示部１に表示されている場合、すなわち、子画面が表示されていない場合に、リモートコントローラ１０の赤色キー１０Ｒが押下されると、図５に示すように、子画面１３が表示部１の右下に、メインＧＵＩ画面に重ねて表示される。
【００５４】
子画面１３に表示される画像に特に制限はなく、例えばアンテナ１４３が受信した衛星デジタル放送のコンテンツ（番組）でもよいし、アンテナ１４８が受信した地上デジタル放送のコンテンツでもよいし、ライン入力端子１３７に入力される信号に応じた画像でもよい。
【００５５】
子画面１３の表示により、ユーザはメインＧＵＩ画面の一部、より具体的には、ウェブコンテンツ領域１１ａのうち右下の部分を閲覧できなくなる。このような場合、ユーザはもう一度赤色キー１０Ｒを押下すればよい。
【００５６】
画面の右下に子画面１３が表示された状態で赤色キー１０Ｒが押下されると、図６に示すように、子画面１３が画面の左下に移動する。続いて、画面の左下に子画面１３が表示された状態で赤色キー１０Ｒが押下されると、図７に示すように、子画面１３が画面の左上に移動する。続いて、画面の左上に子画面１３が表示された状態で赤色キー１０Ｒが押下されると、図８に示すように、子画面１３が画面の右上に移動する。このように、赤色キー１０Ｒが押下される度に、子画面１３が移動し、別の位置に表示される。
【００５７】
続いて、画面の右上に子画面１３が表示された状態で赤色キー１０Ｒが押下されると、子画面１３は非表示となり、図４の状態に戻る。
【００５８】
ユーザは、ウェブページにおける閲覧したい部分に子画面１３が重ならないよう、上記のようにして子画面１３の位置を調整すればよい。
【００５９】
以下、このような子画面１３の表示制御を実現するための表示装置１００の処理動作について説明する。
【００６０】
図９に示すように、子画面１３の表示制御には、図２に示す各部のうち、主に、信号処理部１２０と、グラフィック処理部１５２と、映像処理部１５５と、制御部１５６と、受光部３と、ＬＡＮ  Ｉ／Ｆ１６４とが用いられる。図９において、信号処理部１２０、グラフィック処理部１５２および映像処理部１５５は、表示制御部６を構成する。そして、表示制御部６は、図２のフラッシュメモリ１６０に記憶された表示プログラムを、ＣＰＵ１５９が実行することによって実現されてもよい。
【００６１】
信号処理部１２０には、制御部１５６がＬＡＮ  Ｉ／Ｆ１６４を介して取得したウェブページが入力される。また、信号処理部１２０にはコンテンツ信号が入力される。コンテンツ信号とは、例えばアンテナ１４３が受信した衛星デジタル放送波信号、アンテナ１４８が受信した地上デジタル放送波信号または入力端子１３７に入力される信号から、ユーザにより選択された信号である。
【００６２】
受光部３はリモートコントローラ１０からの制御信号を受信し、制御部１５６に送信する。制御部１５６はリモートコントローラ１０における赤色キー１０Ｒが押下されたことを検出すると、その旨を信号処理部１２０に伝える。
【００６３】
信号処理部１２０はメインＧＵＩ画面を表示するための信号を生成する。そして、赤色キー１０Ｒに対する操作がなされたこと、より具体的には、赤色キー１０Ｒが押下されたことに応答して、信号処理部１２０は以下の処理を行う。
【００６４】
図１０は、赤色キー１０Ｒが押下された場合の、信号処理部１２０の処理動作の一例を示すフローチャートである。
【００６５】
赤色キー１０Ｒが押下されると（ステップＳ１のＹＥＳ）、信号処理部１２０は現在子画面１３が表示されているか否かを判定する。子画面１３が表示されていない場合（ステップＳ２のＹＥＳ）、信号処理部１２０は初期位置である表示部１の右下に子画面１３を表示させるための映像信号を生成する（ステップＳ１１、図５）。
【００６６】
子画面１３がすでに表示されている場合、その子画面１３の位置が右下であれば（ステップＳ３のＹＥＳ）、信号処理部１２０は子画面１３の位置を左下に移動させる（ステップＳ１２、図６）。すなわち、信号処理部１２０は子画面１３を左下に表示させるための映像信号を生成する。
【００６７】
子画面１３の位置が左下であれば（ステップＳ４のＹＥＳ）、信号処理部１２０は子画面１３の位置を左上に移動させる（ステップＳ１３、図７）。すなわち、信号処理部１２０は子画面１３を左上に表示させるための映像信号を生成する。
【００６８】
子画面１３の位置が左上であれば（ステップＳ５のＹＥＳ）、信号処理部１２０は子画面１３の位置を右上に移動させる（ステップＳ１４、図８）。すなわち、信号処理部１２０は子画面１３を右上に表示させるための映像信号を生成する。
【００６９】
一方、子画面１３の位置が右上であれば（ステップＳ３〜Ｓ５のいずれもＮＯ）、信号処理部１２０は子画面１３を消去して非表示にする（ステップＳ１５、図４）。すなわち、信号処理部１２０は、子画面１３を表示せず、メインＧＵＩ画面を表示するための映像信号を生成する。
【００７０】
別の観点から説明すると、子画面１３が初期位置に表示された後、赤色キー１０Ｒが押下された数が１〜３回であれば、信号処理部１２０は子画面１３の表示位置を順繰りに移動させる。そして、赤色キー１０Ｒが押下された数が４回に達すると、信号処理部１２０は子画面１３を消去して非表示にする。
【００７１】
なお、子画面１３が表示されているか否か、どの位置に表示されているのか（あるいは、何回赤色キー１０Ｒが押下されたか）は、例えば信号処理部１２０内に内部変数を保持しておくことで判別できる。
【００７２】
図９に戻り、信号処理部１２０が生成した映像信号は、グラフィック処理部１５２および映像処理部１５５を介して、表示部１に表示される。
【００７３】
仮に子画面１３の設定アイコン１２ｋからでないと子画面１３の位置を移動させることができないとすると、設定アイコン１２ｋを選択して設定画面を表示させた上で子画面１３を移動させる必要がある。結果として、ユーザは複数回にわたってリモートコントローラ１０を操作することとなり、ユーザにとって非常に手間である。これに対し、本実施形態では、ユーザは赤色キー１０Ｒのみを用いて、子画面１３を表示させ、さらに適切な位置に素早く移動させることができる。
【００７４】
このように、本実施形態では、子画面１３の表示、移動および非表示を１つの赤色キー１０Ｒを用いて制御できる。そのため、ユーザは簡易に子画面１３を制御できる。
【００７５】
なお、本実施形態では、初期位置として表示部１の右下に子画面１３を表示し、以降、左下、左上および右上の４か所に子画面１３を表示させる例を示した。しかしながら、子画面１３の初期位置、表示位置および表示順序に特に制限はない。また、子画面１３の初期位置、表示位置および／または表示順序をユーザが設定できるようにしてもよい。さらに、子画面１３のサイズをユーザが設定できるようにしてもよい。
【００７６】
上述した実施形態で説明した制御装置５の少なくとも一部は、ハードウェアで構成してもよいし、ソフトウェアで構成してもよい。ソフトウェアで構成する場合には、制御装置５の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７７】
また、制御装置５の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１  表示部
２  スピーカ
３  受光部
４  操作部
５  制御装置
６  表示制御部
１０  リモートコントローラ
１３  子画面
１００  表示装置
【図１】
2015059793.tif 000003
【図２】
2015059793.tif 000004
【図３】
2015059793.tif 000005
【図４】
2015059793.tif 000006
【図５】
2015059793.tif 000007
【図６】
2015059793.tif 000008
【図７】
2015059793.tif 000009
【図８】
2015059793.tif 000010
【図９】
2015059793.tif 000011
【図１０】
2015059793.tif 000012
【国際調査報告】
2015059793.tif 000013
2015059793.tif 000014
2015059793.tif 000015
2015059793.tif 000016